(57)【要約】【課題】配線作業が簡単に行え、電子回路からの配線の引き回しの複雑化を解消し得る電子回路保持具を提供する。【解決手段】電子回路保持具１では、ブレッドボード５とともに電子回路６ａ，６ｂを台座２の所望する位置に固定させることができるので、電子回路６ａ，６ｂを安定させた状態で配線作業が行え、その分、配線作業を簡単に行える。また、電子回路保持具１では、台座２の上での電子回路６ａ，６ｂの配線状況に応じて、電子回路６ａ，６ｂを台座２の所望する位置に自由に移動させて台座２に固定できるので、電子回路６ａ，６ｂからの配線の引き回しの複雑化を解消し得る。【選択図】図１
2020053441.tif 000002
【特許請求の範囲】
【請求項１】
表面に電子回路が固定可能な固定部を有し、対向する側辺にそれぞれ係止突起部が形成された固定板と、
前記固定板を挟み込んで、対応する係止貫通孔に前記係止突起部を係止させ、前記固定板を所定の高さで保持する一対の側壁板と、
複数の台座側係止貫通孔が所定間隔で穿設された台座と、
を備え、
各前記側壁板の一辺には、前記台座側係止貫通孔に係止可能な壁側係止突起部が形成されており、
複数の前記台座側係止貫通孔の中から、一対の前記側壁板の各前記壁側係止突起部を係止させる一対の前記台座側係止貫通孔を、使用者により選択可能な構成とし、前記台座に設置される他の部品の位置に応じて前記台座での前記固定板の位置を変えられる、
電子回路保持具。
【請求項２】
各前記側壁板には、前記係止貫通孔が２段以上形成されており、
前記台座に設置される他の前記部品の位置に応じて、前記固定板の前記係止突起部が係止される前記係止貫通孔の段を変えることで、前記台座の高さ方向に前記固定板の位置を変えられる、
請求項１に記載の電子回路保持具。
【請求項３】
一対の前記側壁板の間で２段目以上の高さに前記固定板を保持させたとき、一対の前記側壁板の間には、前記固定板の下段に、他の前記部品と前記電子回路とを接続するフラットケーブルの余分な前記フラットケーブルが折り曲げられて収容される空間が形成される、
請求項２に記載の電子回路保持具。
【請求項４】
前記台座側係止貫通孔に係止される板状突起部を備えており、
一対の前記側壁板は、前記壁側係止突起部が前記板状突起部にも係止可能な形状からなり、前記壁側係止突起部が、前記台座側係止貫通孔に換えて前記板状突起部に係止されると、前記固定板の面方向が前記台座の表面に対して垂直に配置する、
請求項１〜３のいずれか１項に記載の電子回路保持具。
【請求項５】
前記固定板は、前記係止突起部が前記台座の前記台座側係止貫通孔にも係止可能な形状からなる、
請求項１〜４のいずれか１項に記載の電子回路保持具。
【発明の詳細な説明】
【技術分野】
【０００１】
本発明は、電子回路保持具に関する。
【背景技術】
【０００２】
従来、電子回路の学習を行うために市販の電子回路やブレッドボードが使用されている(例えば、特許文献１参照)。例えば、ブレッドボードの縦横に並べられた所定のソケット孔に、電子回路の各端子に接続させた複数の配線を差し込んでゆき、ブレッドボードを介して複数の電子回路を接続させて、所定の電子機器を試作することができる。
【先行技術文献】
【特許文献】
【０００３】
【特許文献１】特開２０１４−２１２１５２号公報
【発明の概要】
【発明が解決しようとする課題】
【０００４】
しかしながら、電子回路から延びた配線をブレッドボードに接続する際、配線を引っ張ることで電子回路が移動してしまい、配線作業が難しいという問題があった。また、ブレッドボードに電子回路が既に接続されている場合には、他の電子回路をさらにブレッドボードに接続する際にブレッドボードが移動してしまうと、既にブレッドボードに接続させた電子回路の配線がソケット孔から抜けてしまう恐れがあり、配線作業が難しいという問題があった。
【０００５】
さらに、ブレッドボードを介して複数の電子回路を接続させる際には、例えば、ブレッドボードに対して各電子回路を最適な位置に配置させないと、各配線の引き回しが複雑化してしまうという問題があった。
【０００６】
そこで、本発明は以上の点を考慮してなされたもので、配線作業が簡単に行え、電子回路からの配線の引き回しの複雑化を解消し得る電子回路保持具を提供することを目的とする。
【課題を解決するための手段】
【０００７】
本発明に係る電子回路保持具は、表面に電子回路が固定可能な固定部を有し、対向する側辺にそれぞれ係止突起部が形成された固定板と、前記固定板を挟み込んで、対応する係止貫通孔に前記係止突起部を係止させ、前記固定板を所定の高さで保持する一対の側壁板と、複数の台座側係止貫通孔が所定間隔で穿設された台座と、を備え、各前記側壁板の一辺には、前記台座側係止貫通孔に係止可能な壁側係止突起部が形成されており、複数の前記台座側係止貫通孔の中から、一対の前記側壁板の各前記壁側係止突起部を係止させる一対の前記台座側係止貫通孔を、使用者により選択可能な構成とし、前記台座に設置される他の部品の位置に応じて前記台座での前記固定板の位置を変えられるものである。
【発明の効果】
【０００８】
本発明によれば、他の部品とともに電子回路を台座に固定させることができるので、電子回路を安定させた状態で配線作業が行え、その分、配線作業を簡単に行える。また、台座の上での電子回路の配線状況に応じて、電子回路を台座の所望する位置に自由に移動させて台座に固定できるので、電子回路からの配線の引き回しの複雑化を解消し得る。
【図面の簡単な説明】
【０００９】
【図１】電子回路保持具の使用例の一例を示す概略図である。
【図２】台座の構成を示す概略図である。
【図３】固定板を上段に配置する電子回路保持ユニットを説明するための分解斜視図である。
【図４】固定板を下段に配置する電子回路保持ユニットを説明するための分解斜視図である。
【図５】電子回路保持ユニットを所定方向に向けて台座に設置したときの構成を示す概略図である。
【図６】電子回路保持ユニットを他の方向に向けて台座に設置したときの構成を示す概略図である。
【図７】固定板を上段及び下段の両方に設けた電子回路保持ユニットを説明するための概略図である。
【図８】余分なフラットケーブルを電子回路保持ユニットに収容したときの構成を示す概略図である。
【図９】固定板に固定された電子回路を台座の表面に対して垂直に配置させるときの電子回路保持ユニットの使用例を示す概略図である。
【図１０】固定板に固定された電子回路を台座から離れた位置に設けるときの電子回路保持ユニットの使用例を示す概略図である。
【図１１】固定板のみを用いて電子回路を台座に対して垂直に保持させる使用例を示す概略図である。
【発明を実施するための形態】
【００１０】
以下、本発明の実施形態について詳細に説明する。
【００１１】
（１）本発明の電子回路保持具の概要
図１は、本発明による電子回路保持具１の使用例の一例を示した概略図である。電子回路保持具１は、全ての構成部品が、例えば木製で形成されており、構成部品である板状部品を、使用者が自由に組み合わせて、台座２に設置してゆくことができる。
【００１２】
電子回路保持具１は、例えば、ブレッドボード５と、ラズベリーパイ（Raspberry Pi）と呼ばれているシングルボードコンピュータ等の市販の電子回路６ａ，６ｂとを、配線状況に応じて台座２の上で自由に位置を変えつつ、板状部品を使用して、これらブレッドボード５及び電子回路６ａ，６ｂを所望する位置に固定可能な構成を有している。
【００１３】
なお、電子回路６ａ，６ｂの一例であるシングルボードコンピュータは、例えば、回路基板、制御部である集積回路部、記憶部、コネクタ及び無線通信部等の各種回路が既に実装されているものである。
【００１４】
電子回路保持具１では、電子回路６ａ，６ｂに実装されている所定回路部の端子に配線（図示せず）の一端を接続し、ブレッドボード５の縦横に並んだソケット孔の中から所定のソケット孔を選んで、当該配線の他端を差し込む等の配線作業が行われる。このようにして、電子回路保持具１では、これら電子回路６ａ，６ｂ及びブレッドボード５を台座２の上で接続させてゆき、所望の電子機器を試作することができる。
【００１５】
図１に示す電子回路保持具１の使用例では、ブレッドボード５が固定部材７により台座２の上に直接固定されており、電子回路６ａ，６ｂが電子回路保持ユニット３ａ，３ｂによりそれぞれ保持されて台座２に固定されている。この使用例では、ブレッドボード５は、長手方向が台座２の長手方向ｘ１に沿って配置され、台座２の長辺及び短辺が交わる四隅のうち１つの隅（図１では、右側隅）に寄せて固定されている。
【００１６】
第１の電子回路保持ユニット３ａは、板状でなる固定板１３の表面に電子回路６ａが固定されており、板状でなる一対の側壁板１４，１５により固定板１３が挟み込まれている。電子回路保持ユニット３ａは、一対の側壁板１４，１５によって、台座２から所定高さにある上段に固定板１３が設置されている。
【００１７】
一方、第２の電子回路保持ユニット３ｂは、第１の電子回路保持ユニット３ａと同一構成でなるものの、表面に電子回路６ｂが固定された固定板１３の位置が、第１の電子回路保持ユニット３ａの固定板１３よりも低い下段に設置されている。
【００１８】
これら電子回路保持ユニット３ａ，３ｂは、固定板１３と、一対の側壁板１４，１５とを組み合わせることで形成することができ、組み立て作業を行う際に、ブレッドボード５等の他の部品の固定位置に応じて、固定板１３の位置を上段又は下段に自由に変えることで、電子回路６ａ，６ｂの台座２からの高さを調整できる。
【００１９】
図１に示す電子回路保持具１の使用例では、第１の電子回路保持ユニット３ａで固定板１３を上段に配置し、第２の電子回路保持ユニット３ｂで固定板１３を下段に配置しているが、組み立て作業を行う際に、例えば、電子回路保持ユニット３ａ，３ｂの固定板１３を両方とも上段又は下段に配置させることもできる。
【００２０】
また、図１に示す電子回路保持具１の使用例では、電子回路保持ユニット３ａ，３ｂを台座２の左側領域に直列に並べ、ブレッドボード５を台座２の右側領域に横（台座２の長手方向ｘ１）に向けてに配置しているが、電子回路保持ユニット３ａ，３ｂを台座２の右側領域に並列に並べ、ブレッドボード５を台座２の左側領域に縦（台座２の短手方向ｙ１）に向けて配置することもできる。以下、このような台座２及び電子回路保持ユニット３ａ，３ｂの構成について順に説明する。
【００２１】
（２）台座の構成
本実施形態による台座２は、所定の厚みを有した木製の板状部材からなり、長方形状の四隅にそれぞれ板状突起部９ａが設けられている。４つの板状突起部９ａは、台座２の表面に対してその平面板が垂直に配置されているとともに、板状突起部９ａの長手方向が台座２の短辺に沿って配置されている。
【００２２】
また、台座２には、一方の短辺中央付近にも補助の板状突起部９ｂが設けられているとともに、対向する長辺中央付近にも補助の板状突起部９ｃが設けられている。台座２の短辺中央付近に設けられた板状突起部９ｂの長手方向は、角隅に設けられた２つの板状突起部９ａの長手方向と同じであり、台座２の短辺に沿って３つの板状突起部９ａ，９ｂ，９ａが等間隔に配置されている。
【００２３】
台座２の長辺中央付近に設けられた板状突起部９ｃは、長手方向が、四隅にそれぞれ設けられた板状突起部９ａの長手方向と直交するようにして、台座２の長辺に沿って配置されている。
【００２４】
かかる構成に加えて、台座２には、厚みを貫通する複数の長孔（以下、台座側係止貫通孔と称する）１０ａ，１０ｂ，１０ｃ，１０ｄ，１１ａ，１１ｂ，１１ｃ，１１ｄが規則的に穿設されている。本実施形態の台座２には、台座２の短手方向ｙ１に並んだ複数の台座側係止貫通孔１０ａと、同じく台座２の短手方向ｙ１に並んだ複数の台座側係止貫通孔１０ｂと、同じく台座２の短手方向ｙ１に並んだ複数の台座側係止貫通孔１０ｃと、同じく台座２の短手方向ｙ１に並んだ複数の台座側係止貫通孔１０ｄとが、台座２の長手方向ｘ１に沿って順に配置されている。
【００２５】
本実施形態の台座２では、所定距離離れた１列目及び２列目の台座側係止貫通孔１０ａ，１０ｂが、電子回路保持ユニット３ａ，３ｂが設置される対を構成し、同じく所定距離離れた３列目及び４列目の台座側係止貫通孔１０ｃ，１０ｄが、電子回路保持ユニット３ａ，３ｂが設置される対を構成する。
【００２６】
また、所定距離離れた１列目及び２列目の台座側係止貫通孔１０ａ，１０ｂが、例えば、台座２の左側領域に形成され、所定距離離れた３列目及び４列目の台座側係止貫通孔１０ｃ，１０ｄが、台座２のほぼ中央領域に形成されている。
【００２７】
この場合、１列目における複数の台座側係止貫通孔１０ａは、それぞれ長孔が短手方向ｙ１に沿って延びており、短手方向ｙ１に沿って所定間隔で一列に並んでいる。２列目における複数の台座側係止貫通孔１０ｂも、それぞれ長孔が短手方向ｙ１に沿って延びている。また、２列目における複数の台座側係止貫通孔１０ｂは、１列目の台座側係止貫通孔１０ａから所定距離離れた位置で、１列目の台座側係止貫通孔１０ａと並走するように短手方向ｙ１に沿って所定間隔で一列に並んでいる。
【００２８】
これら１列目の台座側係止貫通孔１０ａと、２列目の台座側係止貫通孔１０ｂとの距離は、電子回路保持ユニット３ａ，３ｂ（図１）の一対の側壁板１４，１５の間隔と同じに選定されている。
【００２９】
さらに、３列目における複数の台座側係止貫通孔１０ｃも、それぞれ長孔が短手方向ｙ１に沿って延びている。３列目における複数の台座側係止貫通孔１０ｃは、２列目の台座側係止貫通孔１０ｂと隣接した位置で、１列目及び２列目の台座側係止貫通孔１０ａ，１０ｂと並走するように短手方向ｙ１に沿って所定間隔で一列に並んでいる。
【００３０】
また、４列目における複数の台座側係止貫通孔１０ｄも、それぞれ長孔が短手方向ｙ１に沿って延びている。４列目における複数の台座側係止貫通孔１０ｄは、３列目の台座側係止貫通孔１０ｃから所定距離離れた位置で、３列目の台座側係止貫通孔１０ｃと並走するように短手方向ｙ１に沿って所定間隔で一列に並んでいる。
【００３１】
これら３列目の台座側係止貫通孔１０ｃと、４列目の台座側係止貫通孔１０ｄとの距離も、電子回路保持ユニット３ａ，３ｂ（図１）の一対の側壁板１４，１５の間隔と同じに選定されている。
【００３２】
また、１列目での台座側係止貫通孔１０ａの間隔は、例えば、側壁板１４（１５）の壁側係止突起部２４ａ，２４ｂ（２４ｃ，２４ｄ）の間隔と同じに選定されている。同様に、２列目での台座側係止貫通孔１０ｂの間隔、３列目での台座側係止貫通孔１０ｃの間隔及び４列目での台座側係止貫通孔１０ｄの間隔も、側壁板１４（１５）の壁側係止突起部２４ａ，２４ｂ（２４ｃ，２４ｄ）の間隔と同じに選定されている。
【００３３】
これに加えて、本実施形態の台座２には、台座２の長手方向ｘ１に並んだ複数の台座側係止貫通孔１１ａと、同じく台座２の長手方向ｘ１に並んだ複数の台座側係止貫通孔１１ｂと、同じく台座２の長手方向ｘ１に並んだ複数の台座側係止貫通孔１１ｃと、同じく台座２の長手方向ｘ１に並んだ複数の台座側係止貫通孔１１ｄとが、台座２の短手方向ｙ１に沿って順に配置されている。
【００３４】
本実施形態の台座２では、所定距離離れた１行目及び２行目の台座側係止貫通孔１１ａ，１１ｂが、電子回路保持ユニット３ａ，３ｂが設置される対を構成し、同じく所定距離離れた３行目及び４行目の台座側係止貫通孔１１ｃ，１１ｄが、電子回路保持ユニット３ａ，３ｂが設置される対を構成する。
【００３５】
また、所定距離離れた１行目及び２行目の台座側係止貫通孔１１ａ，１１ｂが、例えば、台座２の上側領域に形成され、所定距離離れた３行目及び４行目の台座側係止貫通孔１１ｃ，１１ｄが、台座２の下側領域に形成されている。また、本実施形態の２行目及び３行目の台座側係止貫通孔１１ｂ，１１ｃは、台座２の左側領域には形成されておらず、台座２の左側領域には台座２の長辺近傍にのみ、長手方向ｘ１に沿って１行目及び４行目の台座側係止貫通孔１１ａ，１１ｄが形成されている。
【００３６】
この場合、１行目における複数の台座側係止貫通孔１１ａは、それぞれ長孔が長手方向ｘ１に沿って延びており、長手方向ｘ１に沿って所定間隔で一列に並んでいる。また、２行目における複数の台座側係止貫通孔１１ｂも、それぞれ長孔が長手方向ｘ１に沿って延びている。２行目における複数の台座側係止貫通孔１１ｂは、１行目の台座側係止貫通孔１１ａから所定距離離れた位置で、１行目の台座側係止貫通孔１１ａと並走するように長手方向ｘ１に沿って所定間隔で一列に並んでいる。
【００３７】
これら１行目の台座側係止貫通孔１１ａと、２行目の台座側係止貫通孔１１ｂとの距離は、電子回路保持ユニット３ａ，３ｂ（図１）の一対の側壁板１４，１５の間隔と同じに選定されている。
【００３８】
さらに、３行目における複数の台座側係止貫通孔１１ｃも、それぞれ長孔が長手方向ｘ１に沿って延びている。３行目における複数の台座側係止貫通孔１１ｃは、２行目の台座側係止貫通孔１１ｂと隣接した位置で、１行目及び２行目の台座側係止貫通孔１１ａ，１１ｂと並走するように長手方向ｘ１に沿って所定間隔で一列に並んでいる。
【００３９】
また、４行目における複数の台座側係止貫通孔１１ｄも、それぞれ長孔が長手方向ｘ１に沿って延びている。４行目における複数の台座側係止貫通孔１１ｄは、３行目の台座側係止貫通孔１１ｃから所定距離離れた位置で、３行目の台座側係止貫通孔１１ｃと並走するように長手方向ｘ１に沿って所定間隔で一列に並んでいる。
【００４０】
これら３行目の台座側係止貫通孔１１ｃと、４行目の台座側係止貫通孔１１ｄとの距離も、電子回路保持ユニット３ａ，３ｂ（図１）の一対の側壁板１４，１５の間隔と同じに選定されている。
【００４１】
また、１行目での台座側係止貫通孔１１ａの間隔は、例えば、側壁板１４（１５）の壁側係止突起部２４ａ，２４ｂ（２４ｃ，２４ｄ）の間隔と同じに選定されている。同様に、２行目での台座側係止貫通孔１１ｂの間隔、３行目での台座側係止貫通孔１１ｃの間隔及び４行目での台座側係止貫通孔１１ｄの間隔も、側壁板１４（１５）の壁側係止突起部２４ａ，２４ｂ（２４ｃ，２４ｄ）の間隔と同じに選定されている。
【００４２】
（３）電子回路保持ユニットの構成
（３−１）固定板が上段に配置された電子回路保持ユニット
次に、台座２に対して着脱自在に設置可能な電子回路保持ユニット３ａ，３ｂの構成について以下説明する。図３は、固定板１３が上段に配置された電子回路保持ユニット３ａの分解斜視図である。図３中、ｚは、高さ方向を示し、ｙ２は、一対の側壁板１４，１５が対向する方向を示す。ｂ１は、高さ方向ｚ及び対向方向ｙ２と直交する方向であり、固定板１３を一対の側壁板１４，１５に係止させるために移動させる方向を示す。
【００４３】
図３に示すように、電子回路保持ユニット３ａは、固定板１３、一対の側壁板１４，１５及び固定部材７から構成されている。電子回路保持ユニット３ａは、使用される際に、使用者によって、固定板１３、一対の側壁板１４，１５及び固定部材７により組み立てられる。
【００４４】
固定板１３は、所定の厚みを有した木製の板状部材からなり、平面状の表面に電子回路６ａ（図１）が固定可能な構成を有する。なお、固定板１３は、固定される市販の電子回路６ａの矩形外郭形状に合わせて矩形状に形成された本体１３ａを有しており、表面に電子回路６ａが固定された際に電子回路６ａが本体１３ａの周囲からはみ出さないように、本体１３ａの大きさが選定されている。
【００４５】
本体１３ａには、固定部としての固定孔１６が表面に穿設されおり、例えば、電子回路６ａと筒状部材と固定孔１６とにボルトを挿通してナットで締結することにより、表面に電子回路６ａを固定させることができる。なお、図示しない筒状部材を介在させることで、電子回路６ａを本体１３ａから所定高さの位置で固定できる。また、本体１３ａには、電子回路６ａが固定される領域の中央部分に、厚みを貫通した窓部１３ｂが形成されている。これにより、固定板１３は、電子回路６ａを固定した際に、電子回路６ａの表面を窓部１３ｂから外部に露出させることができるので、当該窓部１３ｂから電子回路６ａの熱を放熱させることができる。
【００４６】
また、固定板１３は、本体１３ａの長手方向に延びる側辺１３ｃに係止突起部１７ａ，１７ｂが形成されているとともに、当該側辺１３ｃと対向する、本体１３ａの長手方向に延びる他の側辺１３ｄにも係止突起部１７ｃ，１７ｄが形成されている。
【００４７】
係止突起部１７ａ，１７ｂ，１７ｃ，１７ｄは全て同一形状を有しており、コ字状に形成されている。例えば、係止突起部１７ａは、コ字状のうち一端部１８ａが本体１３ａの側辺１３ｃに沿って一体成形され、コ字状のうち他端部１８ｂが側辺１３ｃから横外方位置にて一端部１８ａと並走するように形成されている。
【００４８】
係止突起部１７ａの一端部１８ａ及び他端部１８ｂの間には切欠部１８が形成されている。係止突起部１７ａ，１７ｂ，１７ｃ，１７ｄに形成された切欠部１８は、同じ方向に切り欠かれており、切欠部１８の幅が、側壁板１４，１５の板厚とほぼ同等の大きさに選定されている。固定板１３は、一対の側壁板１４，１５の間に挟み込まれ、後述する側壁板１４，１５の係止貫通孔２１ａ，２１ｂ，２１ｃ，２１ｄに係止突起部１７ａ，１７ｂ，１７ｃ，１７ｄがそれぞれ係止されて所定の高さで保持される。
【００４９】
次に、側壁板１４，１５について説明する。本実施形態の側壁板１４，１５は同一構成を有しているため、ここでは、主に側壁板１４に着目して以下説明する。
【００５０】
側壁板１４は、固定板１３と同様に、所定の厚みを有した木製の板状部材からなる。側壁板１４には、厚みを貫通するように複数の係止貫通孔２１ａ，２１ｂ，２２ａ，２２ｂが穿設されている。この場合、係止貫通孔２１ａ，２１ｂは、側壁板１４の上段に形成されており、係止貫通孔２２ａ，２２ｂは、側壁板１４において、係止貫通孔２１ａ，２１ｂの形成位置よりも低い下段に形成されている。
【００５１】
係止貫通孔２１ａ，２１ｂは、固定板１３の係止突起部１７ａ，１７ｂが挿通可能な長孔状に形成されており、所定距離を設けて直線的に一列に並んでいる。これら係止貫通孔２１ａ，２１ｂの距離は、固定板１３の係止突起部１７ａ，１７ｂの距離と同じに選定されている。側壁板１４の係止貫通孔２１ａ，２１ｂには、固定板１３の係止突起部１７ａ，１７ｂが挿入される。その後、図３の矢印ｂ１方向に固定板１３が移動すると、係止突起部１７ａ，１７ｂの切欠部１８内に、側壁板１４の係止貫通孔２１ａ，２１ｂ周辺の板部分が挟み込まれる。
【００５２】
同様に、他方の側壁板１５の係止貫通孔２１ｃ，２１ｄにも、固定板１３の他方の係止突起部１７ｃ，１７ｄが挿入され、図３の矢印ｂ１方向に固定板１３が移動すると、係止突起部１７ｃ，１７ｄの切欠部１８内に、側壁板１４の係止貫通孔２１ｃ，２１ｄ周辺の板部分が挟み込まれる。
【００５３】
これにより、対向する一対の側壁板１４，１５の間に固定板１３を挟み込んで、側壁板１４，１５の各係止貫通孔２１ａ，２１ｂ，２１ｃ，２１ｄに、固定板１３の対応する係止突起部１７ａ，１７ｂ，１７ｃ，１７ｄを係止させることができる。このようにして、固定板１３が一対の側壁板１４，１５により所定の高さ（上段）で保持された電子回路保持ユニット３ａを組み立てることができる。
【００５４】
なお、本実施形態においては、側壁板１４，１５の各係止貫通孔２１ａ，２１ｂ，２１ｃ，２１ｄに固定板１３の係止突起部１７ａ，１７ｂ，１７ｃ，１７ｄを係止させた後、側壁板１４の係止貫通孔２１ｂと側壁板１５の係止貫通孔２１ｄとには、固定部材７がそれぞれ着脱自在に嵌め込まれる。
【００５５】
これにより、固定板１３の係止突起部１７ｂ，１７ｄが、固定部材７によって側壁板１４，１５の係止貫通孔２１ｂ，２１ｄ内で遊動せず、側壁板１４，１５の各係止貫通孔２１ａ，２１ｂ，２１ｃ，２１ｄから、固定板１３の係止突起部１７ａ，１７ｂ，１７ｃ，１７ｄが離脱してしまうことを防止できる。
【００５６】
また、側壁板１４には、上側の係止貫通孔２１ａ，２１ｂと、下側の係止貫通孔２２ａ，２２ｂとの間に、厚みを貫通した窓部１９ａが形成されている。なお、他方の側壁板１５にも、同様に窓部１９ｂが形成されている。
【００５７】
かかる構成に加えて、側壁板１４（１５）には、下側の一辺１４ａ（１５ａ）に、台座２の台座側係止貫通孔１０ａ，１０ｂ、１０ｃ，１０ｄ、１１ａ，１１ｂ、１１ｃ，１１ｄに係止可能な壁側係止突起部２４ａ，２４ｂ（２４ｃ，２４ｄ）が形成されている。ここで、側壁板１４の各壁側係止突起部２４ａ，２４ｂは全て同一形状を有しており、Ｌ字状に形成されている。壁側係止突起部２４ａ，２４ｂは、Ｌ字状の１つの先端部が側壁板１４の一辺１４ａと一体形成されており、側壁板１４の一辺１４ａとの間に切欠部２５を形成している。
【００５８】
切欠部２５の幅は、台座２の板厚とほぼ同等の大きさに形成されている。側壁板１４は、壁側係止突起部２４ａ，２４ｂが、例えば、台座２の台座側係止貫通孔１０ａに挿入され、図３の矢印ｂ１方向に側壁板１４が移動されることで、壁側係止突起部２４ａ，２４ｂの切欠部２５内に、台座２の台座側係止貫通孔１０ａ周辺の板部分が挟み込まれる。
【００５９】
このようにして、電子回路保持ユニット３ａは、台座２の台座側係止貫通孔（１０ａ，１０ｂ）、（１０ｃ，１０ｄ）、（１１ａ，１１ｂ）、（１１ｃ，１１ｄ）の中から、例えば、対向する一対の側壁板１４，１５の壁側係止突起部２４ａ，２４ｂ，２４ｃ，２４ｄが挿入可能な台座側係止貫通孔１０ａ，１０ｂが選択され、台座側係止貫通孔１０ａ，１０ｂに壁側係止突起部２４ａ，２４ｂ，２４ｃ，２４ｄが係止される。これにより、電子回路保持ユニット３ａを台座２の所定位置に固定させることができる。
【００６０】
（３−２）固定板が下段に配置された電子回路保持ユニット
図４は、固定板１３が下段に配置された電子回路保持ユニット３ｂの分解斜視図である。この場合、固定板１３の係止突起部１７ａ，１７ｂ，１７ｃ，１７ｄは、側壁板１４，１５の係止貫通孔２１ａ，２１ｂ，２１ｃ，２１ｄの形成位置よりも低い下段に形成されている係止貫通孔２２ａ，２２ｂ，２２ｃ，２２ｄにそれぞれ係止されて窓部１９ａ，１９ｂよりも低い位置で保持される。
【００６１】
係止貫通孔２２ａ，２２ｂは、固定板１３の係止突起部１７ａ，１７ｂが挿通可能な長孔状に形成されており、所定距離を設けて直線的に一列に並んでいる。これら係止貫通孔２２ａ，２２ｂの距離は、固定板１３の係止突起部１７ａ，１７ｂの距離と同じに選定されている。側壁板１４の係止貫通孔２２ａ，２２ｂには、固定板１３の係止突起部１７ａ，１７ｂが挿入される。その後、図４の矢印ｂ１方向に固定板１３が移動すると、係止突起部１７ａ，１７ｂの切欠部１８内に、側壁板１４の係止貫通孔２２ａ，２２ｂ周辺の板部分が挟み込まれる。
【００６２】
同様に、他方の側壁板１５の係止貫通孔２２ｃ，２２ｄにも、固定板１３の他方の係止突起部１７ｃ，１７ｄが挿入され、図４の矢印ｂ１方向に固定板１３が移動すると、係止突起部１７ｃ，１７ｄの切欠部１８内に、側壁板１４の係止貫通孔２２ｃ，２２ｄ周辺の板部分が挟み込まれる。
【００６３】
これにより、対向する一対の側壁板１４，１５の間に固定板１３を挟み込んで、側壁板１４，１５の各係止貫通孔２２ａ，２２ｂ，２２ｃ，２２ｄに、固定板１３の対応する係止突起部１７ａ，１７ｂ，１７ｃ，１７ｄを係止させることができる。このようにして、固定板１３が一対の側壁板１４，１５により所定の高さ（下段）で保持された電子回路保持ユニット３ｂを組み立てることができる。
【００６４】
なお、本実施形態においては、側壁板１４，１５の各係止貫通孔２２ａ，２２ｂ，２２ｃ，２２ｄに固定板１３の係止突起部１７ａ，１７ｂ，１７ｃ，１７ｄを係止させた後、側壁板１４の係止貫通孔２２ｂと側壁板１５の係止貫通孔２２ｄとに、固定部材７がそれぞれ着脱自在に嵌め込まれる。
【００６５】
これにより、固定板１３の係止突起部１７ｂ，１７ｄが、固定部材７によって側壁板１４，１５の係止貫通孔２２ｂ，２２ｄ内で遊動せず、側壁板１４，１５の各係止貫通孔２２ａ，２２ｂ，２２ｃ，２２ｄから、固定板１３の係止突起部１７ａ，１７ｂ，１７ｃ，１７ｄが離脱してしまうことを防止できる。
【００６６】
このようにして組み立てられた電子回路保持ユニット３ｂは、台座２の台座側係止貫通孔（１０ａ，１０ｂ）、（１０ｃ，１０ｄ）、（１１ａ，１１ｂ）、（１１ｃ，１１ｄ）の中から、例えば、対向する一対の側壁板１４，１５の壁側係止突起部２４ａ，２４ｂ，２４ｃ，２４ｄがそれぞれ挿入可能な台座側係止貫通孔１０ａ，１０ｂが選択され、台座側係止貫通孔１０ａ，１０ｂに壁側係止突起部２４ａ，２４ｂ，２４ｃ，２４ｄが係止される。これにより、電子回路保持ユニット３ｂを台座２の所定位置に固定させることができる。
【００６７】
（４）電子回路保持具の使用形態
（４−１）第１の使用例
次に、電子回路保持具１の使用形態について順に説明する。図５は、一対の側壁板１４，１５により固定板１３を上段で保持した電子回路保持ユニット３ａを、台座２の中央領域に設けたときの一例を示す。
【００６８】
この場合、台座２には、短手方向ｙ１に沿って並ぶ３列目の台座側係止貫通孔１０ｃに、一方の側壁板１５の壁側係止突起部２４ｃ，２４ｄ（図３）が係止され、３列目の台座側係止貫通孔１０ｃから所定距離離れた４列目の台座側係止貫通孔１０ｄに、他方の側壁板１４の壁側係止突起部２４ａ，２４ｂ（図３）が係止される。
【００６９】
３列目での各台座側係止貫通孔１０ｃの間隔と、４列目での各台座側係止貫通孔１０ｄの間隔とは、側壁板１４（１５）の壁側係止突起部２４ａ，２４ｂ（２４ｃ，２４ｄ）の間隔に合わせて形成されている。よって、側壁板１４，１５の壁側係止突起部２４ａ，２４ｂ，２４ｃ，２４ｄを係止させる、３列目の台座側係止貫通孔１０ｃ及び４列目の台座側係止貫通孔１０ｄの位置を、台座２の短手方向ｙ１に沿って変えることで、台座２の中央領域において、電子回路保持ユニット３ａを所望する位置に固定させることができる。電子回路保持ユニット３ａは、台座２でのブレッドボード５の固定位置に応じて、必要なときにその都度、台座２に固定する位置を変えることができる。
【００７０】
なお、本実施形態では、台座２の短手方向ｙ１に並走する台座側係止貫通孔１０ｃ，１０ｄに、一対の側壁板１４，１５を固定させることで、対向する側壁板１４，１５に挟まれた固定板１３の長手方向を、台座２の短手方向ｙ１に向けることができる。
【００７１】
（４−２）第２の使用例
図６は、一対の側壁板１４，１５により固定板１３を上段で保持した電子回路保持ユニット３ａの向きを、台座２の中央領域において変えたときの一例を示す。
【００７２】
この場合、台座２には、長手方向ｘ１に沿って並ぶ３行目の台座側係止貫通孔１１ｃに、一方の側壁板１４の壁側係止突起部２４ａ，２４ｂ（図３）が係止され、３行目の台座側係止貫通孔１１ｃから所定距離離れた４行目の台座側係止貫通孔１１ｄに、他方の側壁板１５の壁側係止突起部２４ｃ，２４ｄ（図３）が係止される。
【００７３】
３行目での各台座側係止貫通孔１１ｃの間隔と、４行目での各台座側係止貫通孔１１ｄの間隔とは、側壁板１４（１５）の壁側係止突起部２４ａ，２４ｂ（２４ｃ，２４ｄ）の間隔に合わせて形成されている。よって、側壁板１４，１５の壁側係止突起部２４ａ，２４ｂ，２４ｃ，２４ｄを係止させる、３行目の台座側係止貫通孔１１ｃ及び４行目の台座側係止貫通孔１１ｄの位置を、台座２の長手方向ｘ１に沿って変えることで、台座２において、電子回路保持ユニット３ａを所望する位置に固定させることができる。
【００７４】
なお、本実施形態では、台座２の長手方向ｘ１に並走する台座側係止貫通孔１１ｃ，１１ｄに、一対の側壁板１４，１５を固定させることで、対向する側壁板１４，１５に挟まれた固定板１３の長手方向を、台座２の長手方向ｘ１に向けることができる。これにより、固定板１３の表面に固定した電子回路６ａを、図５の状態から９０度回転させて向きを変えることができる。よって、電子回路保持ユニット３ａは、台座２でのブレッドボード５の固定位置と、電子回路６ａ内の回路構成とを考慮して、必要なときにその都度、台座２に対する電子回路６ａの向きを変えて固定することができる。
【００７５】
（４−３）第３の使用例
図７は、一対の側壁板１４，１５において上段及び下段の両方で固定板１３１，１３２を保持した電子回路保持ユニット３ｃを示す。この場合、上段の固定板１３１は、対向する一対の側壁板１４，１５の間に挟み込まれ、側壁板１４，１５の各係止貫通孔２１ａ，２１ｂ，２１ｃ，２１ｄに、固定板１３１の対応する係止突起部１７ａ，１７ｂ，１７ｃ，１７ｄがそれぞれ係止される。
【００７６】
また、下段の固定板１３２は、対向する一対の側壁板１４，１５の間に挟み込まれ、側壁板１４，１５の各係止貫通孔２２ａ，２２ｂ，２２ｃ，２２ｄに、固定板１３２の対応する係止突起部１７ａ，１７ｂ，１７ｃ，１７ｄがそれぞれ係止される。このようにして、一対の側壁板１４，１５により２つの固定板１３１，１３２を同時に保持した電子回路保持ユニット３ｃを組み立てることができる。
【００７７】
このような電子回路保持ユニット３ｃでも、台座２の台座側係止貫通孔（１０ａ，１０ｂ）、（１０ｃ，１０ｄ）、（１１ａ，１１ｂ）、（１１ｃ，１１ｄ）の中から、例えば、対向する一対の側壁板１４，１５の壁側係止突起部２４ａ，２４ｂ，２４ｃ，２４ｄが挿入可能な台座側係止貫通孔１０ａ，１０ｂが選択され、台座側係止貫通孔１０ａ，１０ｂに壁側係止突起部２４ａ，２４ｂ，２４ｃ，２４ｄが係止される。これにより、電子回路保持ユニット３ｃを台座２の所定位置に固定させることができる。
【００７８】
図８は、一対の側壁板１４，１５により２つの固定板１３１，１３２を保持した電子回路保持ユニット３ｃの使用例を示した概略図である。図８に示す電子回路保持具１では、電子回路保持ユニット３ｃとブレッドボード５とを台座２の長手方向ｘ１に沿って直列に配置している。ブレッドボード５は、その長手方向が台座２の長手方向ｘ１に沿って配置されており、台座２の台座側係止貫通孔１０ｄに嵌め込まれた固定部材７により、ブレッドボード５の両側面が押さえられて固定されている。
【００７９】
なお、本実施形態では、ブレッドボード５を固定した領域を囲むようにして、板状突起部２９が台座側係止貫通孔１１ａ，１１ｂに嵌め込まれている。
【００８０】
電子回路保持ユニット３ｃには、下段に配置した固定板１３２の表面には電子回路６ａが固定されておらず、上段に配置した固定板１３１の表面に電子回路６ａが固定されており、ブレッドボード５に接続された帯状のフラットケーブル３０が、当該電子回路６ａに接続されている。電子回路保持具１では、ブレッドボード５を固定する位置に応じて、台座２上での電子回路保持ユニット３ｃの位置を自由に変えることができるので、ブレッドボード５に対して電子回路６ａを直列的に配置させることができる。これにより、ブレッドボード５から延出したフラットケーブル３０を無理に捻じ曲げることなく、電子回路６ａに接続させることができる。
【００８１】
また、一対の側壁板１４，１５の間には、上段に設けた固定板１３１の下段に空間ＥＲ１が形成される。ここで、ブレッドボード５と対向する位置に配置された側壁板１５は、上段の固定板１３１と下段の固定板１３２との間に窓部１９ｂを有しており、ブレッドボード５から延出したフラットケーブル３０を、窓部１９ｂを介して空間ＥＲ１内に導くことができる。これにより、電子回路保持ユニット３ｃでは、上段の固定板１３に固定した電子回路６ａと、台座２の表面に固定したブレッドボード５とを接続するフラットケーブル３０のうち、余分なフラットケーブル３０をＵ字状に折り曲げて空間ＥＲ１に収容させることができる。
【００８２】
（４−４）第４の使用例
図９は、固定板１３に固定された電子回路６ａを台座２の表面に対して垂直に配置させるときの電子回路保持ユニット３ａの使用例を示す概略図である。ここで、一対の側壁板１４，１５は、台座２の台座側係止貫通孔１０ａ，１０ｂ、１０ｃ，１０ｄ、１１ａ，１１ｂ、１１ｃ，１１ｄに係止可能な壁側係止突起部２４ｂ，２４ｄが、台座２に設けられた板状突起部９ａ，９ｃにも係止可能な形状に形成されている。
【００８３】
具体的には、壁側係止突起部２４ｂ，２４ｄの切欠部２５の幅が、板状突起部９ａ，９ｃの板厚とほぼ同等の大きさに形成されている。一対の側壁板１４，１５は、切欠部２５が板状突起部９ａ，９ｃに嵌め込まれることで、壁側係止突起部２４ｂ，２４ｄを板状突起部９ａ，９ｃに係止させることができる。
【００８４】
また、壁側係止突起部２４ｂ，２４ｄの切欠部２５を、板状突起部９ａ，９ｃに係止させた際、台座２の表面には側壁板１４，１５の辺１４ｂ，１５ｂが当接する。ここで、台座２の表面に当接する側壁板１４，１５の辺１４ｂ，１５ｂは、固定板１３の面方向に対して直角に延びている。
【００８５】
これにより、電子回路保持ユニット３ａは、壁側係止突起部２４ｂ，２４ｄの切欠部２５が板状突起部９ａ，９ｃに係止され、台座２の表面に側壁板１４，１５の辺１４ｂ，１５ｂが当接されると、固定板１３の面方向が台座２の表面に対して垂直に保持される。かくして、固定板１３の表面に固定された電子回路６ａを、台座２に対して垂直に保持させることができる。
【００８６】
なお、本実施形態の場合、壁側係止突起部２４ｂ，２４ｄの切欠部２５を、板状突起部９ａ，９ｃに係止させた際、固定板１３の辺１３ｅも台座２の表面に当接する。すなわち、側壁板１４，１５の辺１４ｂ，１５ｂと、固定板１３の辺１３ｅとが、全て同一平面上に形成されている。これにより、壁側係止突起部２４ｂ，２４ｄの切欠部２５を、板状突起部９ａ，９ｃに係止させた際、これら側壁板１４，１５の辺１４ｂ，１５ｂと、固定板１３の辺１３ｅとが、台座２の表面に全て当接することで、固定板１３の面方向を台座２の表面に対して安定して垂直に保持できる。
【００８７】
（４−５）第５の使用例
上述した図９においては、電子回路保持ユニット３ａ全体を台座２の上に配置させて、固定板１３に固定された電子回路６ａを台座２の上に設けるようにした場合について述べたが、電子回路保持ユニット３ａは、図１０に示すように、固定板１３に固定された電子回路６ａを台座２から離れた横外方位置に設けることもできる。
【００８８】
例えば、台座２の表面に、複数のブレッドボード５、他の電子回路及び電池等の各種部品を設ける必要がある場合には、台座２の上に電子回路保持ユニット３ａを配置する領域がなくなり、台座２の上に電子回路保持ユニット３ａを設けることが困難な状況もある。
【００８９】
そのような場合には、図１０に示すように、電子回路保持ユニット３ａの固定板１３を、台座２から離れた横外方位置に配置しつつ、壁側係止突起部２４ｂ，２４ｄの切欠部２５を板状突起部９ａ，９ｂに嵌め込み、一対の側壁板１４，１５を板状突起部９ａ，９ｂに係止させる。壁側係止突起部２４ｂ，２４ｄの切欠部２５を、板状突起部９ａ，９ｂに係止させた際、台座２の外周辺近傍の表面にのみ、側壁板１４，１５の辺１４ｂ，１５ｂの一部が当接し、電子回路保持ユニット３ａが台座２に固定される。
【００９０】
このように、電子回路保持ユニット３ａは、固定板１３が台座２の横外方位置に配置させた状態でも、壁側係止突起部２４ｂ，２４ｄの切欠部２５を板状突起部９ａ，９ｂに係止させ、かつ、台座２の表面に側壁板１４，１５の辺１４ｂ，１５ｂの一部を当接させることで、固定板１３の面方向が台座２の表面に対して垂直に保持される。
【００９１】
かくして、固定板１３の表面に固定された電子回路６ａを、台座２の上に配置させることなく、台座２の横外方位置で台座２に対して垂直に保持させることができる。
【００９２】
（４−６）第６の使用例
図１１は、固定板１３のみを用いて電子回路６ａを台座２に対して垂直に保持させる使用例を示す概略図である。ここで、固定板１３の係止突起部１７ａ，１７ｂ，１７ｃ，１７ｄは、台座２の台座側係止貫通孔１０ａ，１０ｂ，１０ｃ，１０ｄ，１１ａ，１１ｂ，１１ｃ，１１ｄにも係止可能な形状に形成されている。
【００９３】
具体的には、係止突起部１７ａ，１７ｂ，１７ｃ，１７ｄの切欠部１８（図３）の幅が、台座２の板厚とほぼ同等の大きさに形成されている。固定板１３は、台座２の台座側係止貫通孔１０ａ，１０ｂ，１０ｃ，１０ｄ，１１ａ，１１ｂ，１１ｃ，１１ｄのいずれかに、例えば、係止突起部１７ｃ，１７ｄを挿入し、係止突起部１７ｃ，１７ｄの切欠部１８に台座２を挟み込む。これにより、固定板１３は、係止突起部１７ｃ，１７ｄを台座側係止貫通孔１０ｄに係止させることができる。
【００９４】
また、固定板１３は、係止突起部１７ｃ，１７ｄを台座側係止貫通孔１０ｄに係止させた際、固定板１３の面方向が台座２の表面に対して垂直に保持される。かくして、固定板１３の表面に固定された電子回路６ａを、台座２に対して垂直に保持させることができる。
【００９５】
（５）作用及び効果
以上の構成において、電子回路保持具１は、表面に電子回路６ａ，６ｂが固定可能な固定孔１６を有し、対向する側辺１３ｃ，１３ｄにそれぞれ係止突起部１７ａ，１７ｂ，１７ｃ，１７ｄが形成された固定板１３を設けるようにした。また、電子回路保持具１は、固定板１３を挟み込んで係止貫通孔２１ａ，２１ｂ，２１ｃ，２１ｄ（２２ａ，２２ｂ，２２ｃ，２２ｄ）に係止突起部１７ａ，１７ｂ，１７ｃ，１７ｄを係止させ、固定板１３を所定の高さで保持する一対の側壁板１４，１５を設けるようにした。この側壁板１４，１５の一辺１４ａ，１５ａには、台座２に穿設された台座側係止貫通孔１０ａ，１０ｂ，１０ｃ，１０ｄ，１１ａ，１１ｂ，１１ｃ，１１ｄに係止可能な壁側係止突起部２４ａ，２４ｂ，２４ｃ，２４ｄを設けるようにした。
【００９６】
電子回路保持具１では、台座２に穿設された複数の台座側係止貫通孔１０ａ，１０ｂ，１０ｃ，１０ｄ，１１ａ，１１ｂ，１１ｃ，１１ｄの中から、一対の側壁板１４，１５の各壁側係止突起部２４ａ，２４ｂ，２４ｃ，２４ｄを係止させる一対の台座側係止貫通孔（１０ａ，１０ｂ）、（１０ｃ，１０ｄ）、（１１ａ，１１ｂ）、（１１ｃ，１１ｄ）を、使用者により選択可能な構成とし、台座２に設置されるブレッドボード５等の他の部品の位置に応じて台座２での固定板１３の位置を変えられるようにした。
【００９７】
これにより、電子回路保持具１では、ブレッドボード５とともに電子回路６ａ，６ｂを台座２の所望する位置に固定させることができるので、電子回路６ａ，６ｂを安定させた状態で配線作業が行え、その分、配線作業を簡単に行える。また、電子回路保持具１では、台座２の上での電子回路６ａ，６ｂの配線状況に応じて、その都度、電子回路６ａ，６ｂを台座２の所望する位置に自由に移動させて台座２に固定できるので、電子回路６ａ，６ｂからの配線の引き回しの複雑化を解消し得る。
【００９８】
また、電子回路保持具１では、台座２に設置される他の部品（ブレッドボード５）の位置や、電子回路６ａ，６ｂに応じて、固定板１３の係止突起部１７ａ，１７ｂ，１７ｃ，１７ｄが係止される係止貫通孔２１ａ，２１ｂ，２１ｃ，２１ｄ（２２ａ，２２ｂ，２２ｃ，２２ｄ）の段を変えることで、台座２の高さ方向ｚに固定板１３の位置を変えられる。これにより、電子回路保持具１では、台座２の平面上で固定板１３が移動するだけでなく、台座２の高さ方向ｚでも固定板１３が移動できるので、電子回路６ａ，６ｂ及びブレッドボード５の台座２上でのレイアウトの自由度を高めることができる。
【００９９】
（６）他の実施形態
なお、上述した実施形態においては、木製の固定板１３及び側壁板１４，１５等を適用した場合について説明したが、本発明はこれに限らず、アクリル板やガラス板等その他種々の部材により形成した固定板１３及び側壁板１４，１５等を適用してもよい。
【０１００】
また、上述した実施形態においては、係止貫通孔が２段形成され、上段と下段に固定板１３を設けることができる一対の側壁板１４，１５について説明したが、本発明はこれに限らない。例えば、係止貫通孔が１段のみ形成された一対の側壁板を適用してもよい。また、係止貫通孔が、３段、４段等の２段以上形成された一対の側壁板を適用してもよい。
【０１０１】
なお、側壁板１４，１５において係止貫通孔を２段以上形成した場合には、一対の側壁板１４，１５の間で２段目以上の高さに固定板１３を保持させることができる。この場合、図８に示すような使用例では、一対の側壁板１４，１５の間で２段目以上の高さに固定板１３を保持させたとき、一対の側壁板１４，１５の間には、固定板１３の下段のいずれかの空間に、余分なフラットケーブル３０が折り曲げられて収容される。
【０１０２】
また、上述した実施形態においては、電子回路として、ラズベリーパイと呼ばれているシングルボードコンピュータ等の市販の電子回路６ａ，６ｂを適用した場合について説明したが、本発明はこれに限らず、例えば、ＣＣＤカメラ、メモリ、ディスプレイ、ＬＥＤ等の発光回路等その他種々の電子回路を適用してもよい。また、他の部品として、ブレッドボード５を適用したが、本発明はこれに限らず、上記のような電子回路の他、電池パック等、電気機器の試作に必要となるその他種々の部品を適用してもよい。
【０１０３】
また、上述した実施形態においては、固定部として、固定孔１６を適用した場合について説明したが、本発明はこれに限らず、固定板１３の厚みを貫通していない固定部にネジをねじ込むことで固定板１３に電子回路６ａ，６ｂを固定するようにしてもよい。
【０１０４】
また、上述した実施形態においては、複数の台座側係止貫通孔として、台座２の長手方向ｘ１に沿って順に並んだ台座側係止貫通孔１０ａ，１０ｂ，１０ｃ，１０ｄと、台座２の短手方向ｙ１に沿って順に並んだ台座側係止貫通孔１１ａ，１１ｂ，１１ｃ，１１ｄとを設けた場合について説明したが、本発明はこれに限らず、さらに複数の台座側係止貫通孔を行列状に配置するようにしてもよい。
【符号の説明】
【０１０５】
１  電子回路保持具
２  台座
３ａ，３ｂ，３ｃ  電子回路保持ユニット
６ａ，６ｂ  電子回路
１０ａ，１０ｂ，１０ｃ，１０ｄ，１１ａ，１１ｂ，１１ｃ，１１ｄ  台座側係止貫通孔
１３  固定板
１４，１５  側壁板
１７ａ，１７ｂ，１７ｃ，１７ｄ  係止突起部
２１ａ，２１ｂ，２１ｃ，２１ｄ，２２ａ，２２ｂ，２２ｃ，２２ｄ  係止貫通孔
２４ａ，２４ｂ，２４ｃ，２４ｄ  壁側係止突起部
【図１】
2020053441.tif 000003
【図２】
2020053441.tif 000004
【図３】
2020053441.tif 000005
【図４】
2020053441.tif 000006
【図５】
2020053441.tif 000007
【図６】
2020053441.tif 000008
【図７】
2020053441.tif 000009
【図８】
2020053441.tif 000010
【図９】
2020053441.tif 000011
【図１０】
2020053441.tif 000012
【図１１】
2020053441.tif 000013
【手続補正書】
【提出日】令和1年7月30日(2019.7.30)
【手続補正１】
【補正対象書類名】特許請求の範囲
【補正対象項目名】全文
【補正方法】変更
【補正の内容】
【特許請求の範囲】
【請求項１】
表面に電子回路が固定可能な固定部を有し、対向する側辺にそれぞれ係止突起部が形成された固定板と、
前記固定板を挟み込んで、対応する係止貫通孔に前記係止突起部を係止させ、前記固定板を所定の高さで保持する一対の側壁板と、
複数の台座側係止貫通孔が所定間隔で穿設された台座と、
を備え、
各前記側壁板の一辺には、前記台座側係止貫通孔に係止可能な壁側係止突起部が形成されており、
複数の前記台座側係止貫通孔の中から、一対の前記側壁板の各前記壁側係止突起部を係止させる一対の前記台座側係止貫通孔を、使用者により選択可能な構成とし、前記台座に設置される他の部品の位置に応じて前記台座での前記固定板の位置を変えられ、
各前記側壁板には、前記係止貫通孔が２段以上形成されており、
前記台座に設置される他の前記部品の位置に応じて、前記固定板の前記係止突起部が係止される前記係止貫通孔の段を変えることで、前記台座の高さ方向に前記固定板の位置を変えられる、
電子回路保持具。
【請求項２】
一対の前記側壁板の間で２段目以上の高さに前記固定板を保持させたとき、一対の前記側壁板の間には、前記固定板の下段に、他の前記部品と前記電子回路とを接続するフラットケーブルの余分な前記フラットケーブルが折り曲げられて収容される空間が形成される、
請求項１に記載の電子回路保持具。
【請求項３】
表面に電子回路が固定可能な固定部を有し、対向する側辺にそれぞれ係止突起部が形成された固定板と、
前記固定板を挟み込んで、対応する係止貫通孔に前記係止突起部を係止させ、前記固定板を所定の高さで保持する一対の側壁板と、
複数の台座側係止貫通孔が所定間隔で穿設された台座と、
を備え、
各前記側壁板の一辺には、前記台座側係止貫通孔に係止可能な壁側係止突起部が形成されており、
複数の前記台座側係止貫通孔の中から、一対の前記側壁板の各前記壁側係止突起部を係止させる一対の前記台座側係止貫通孔を、使用者により選択可能な構成とし、前記台座に設置される他の部品の位置に応じて前記台座での前記固定板の位置を変えられ、
前記台座側係止貫通孔に係止される板状突起部を備えており、
一対の前記側壁板は、前記壁側係止突起部が前記板状突起部にも係止可能な形状からなり、前記壁側係止突起部が、前記台座側係止貫通孔に換えて前記板状突起部に係止されると、前記固定板の面方向が前記台座の表面に対して垂直に配置する、
電子回路保持具。
【請求項４】
表面に電子回路が固定可能な固定部を有し、対向する側辺にそれぞれ係止突起部が形成された固定板と、
前記固定板を挟み込んで、対応する係止貫通孔に前記係止突起部を係止させ、前記固定板を所定の高さで保持する一対の側壁板と、
複数の台座側係止貫通孔が所定間隔で穿設された台座と、
を備え、
各前記側壁板の一辺には、前記台座側係止貫通孔に係止可能な壁側係止突起部が形成されており、
複数の前記台座側係止貫通孔の中から、一対の前記側壁板の各前記壁側係止突起部を係止させる一対の前記台座側係止貫通孔を、使用者により選択可能な構成とし、前記台座に設置される他の部品の位置に応じて前記台座での前記固定板の位置を変えられ、
前記固定板は、前記係止突起部が前記台座の前記台座側係止貫通孔にも係止可能な形状からなる、
電子回路保持具。
【手続補正２】
【補正対象書類名】明細書
【補正対象項目名】０００７
【補正方法】変更
【補正の内容】
【０００７】
本発明に係る電子回路保持具は、表面に電子回路が固定可能な固定部を有し、対向する側辺にそれぞれ係止突起部が形成された固定板と、前記固定板を挟み込んで、対応する係止貫通孔に前記係止突起部を係止させ、前記固定板を所定の高さで保持する一対の側壁板と、複数の台座側係止貫通孔が所定間隔で穿設された台座と、を備え、各前記側壁板の一辺には、前記台座側係止貫通孔に係止可能な壁側係止突起部が形成されており、複数の前記台座側係止貫通孔の中から、一対の前記側壁板の各前記壁側係止突起部を係止させる一対の前記台座側係止貫通孔を、使用者により選択可能な構成とし、前記台座に設置される他の部品の位置に応じて前記台座での前記固定板の位置を変えられ、各前記側壁板には、前記係止貫通孔が２段以上形成されており、前記台座に設置される他の前記部品の位置に応じて、前記固定板の前記係止突起部が係止される前記係止貫通孔の段を変えることで、前記台座の高さ方向に前記固定板の位置を変えられるものである。